(57)【要約】      （修正有）【課題】傾斜配置したミラーを採用し、傾斜配置に伴う画像不鮮明となる原因を取り除くかあるいは小さいものとする。【解決手段】本体１と、本体に設置された指置き台２と、本体の内部に設置され、前記指置き台に置かれた指に光照射する照射手段と、光射の光路に配設されたミラー１３と、指置き台に形成された撮影開口部と、照射された指が発する光を前記撮影開口部を介して入力して撮像する撮像手段３と、を有して構成される個人認証装置の指静脈パターン入力装置１００において、前記ミラー１３は、開口部に近い側を上側にし、遠い側を下側にし、下側を撮像手段３に近くし、上側を撮像手段３に遠くなるようにして傾斜配置され、かつ上側から下側にかけてミラー反射領域が漸減される。【選択図】図１
2008226197.tif 000002
【特許請求の範囲】
【請求項１】
本件と、本件に設置された指置き台と、本体の内部に設置され、前記指置き台に置かれた指に光照射する照射手段と、光射の光路に配設されたミラーと、指置き台に形成された撮影開口部と、照射された指が発する光を前記撮影開口部を介して入力して撮像する撮像手段と、を有して構成される個人認証装置の指静脈パターン入力装置において、
前記ミラーは、前記撮影開口部に近い側を上側にし、遠い側を下側にし、下側を撮像手段に近くし、上側を撮像手段に遠くなるようにして傾斜配置され、かつ上側から下側にかけてミラー反射領域が漸減されていること
を特徴とする個人認証装置の指静脈パターン入力装置。
【請求項２】
請求項１において、ミラー反射領域は上側に広く、下側で狭い台形形状をなすことを特徴とする個人認証装置の指静脈パターンの入力装置。
【請求項３】
請求項１において、前記ミラー反射領域の漸減度はミラーの傾斜角度に依存して設定されることを特徴とする個人認証装置の指静脈パターンの入力装置。
【発明の詳細な説明】
【技術分野】
【０００１】
本発明は、個人認証装置の指静脈パターンの入力装置に関する。
【背景技術】
【０００２】
個人認証装置の指静脈パターンの入力装置において、指に向けて赤外光を照射し、指を透過した光をミラーにより横方向に折り曲げ、撮像部（カメラ）で撮影するようにして画像のＳ／Ｎ比を悪化させずに装置の小型化を実現することが提案されている。
【０００３】
例えば、特許文献１には、指の血管画像を基に生体を認証する生体認証装置において、認証する指の位置を案内する案内溝を設けた指置き台と、該案内溝の側面に設けた発光部より、該指に向けて側面から光を照射する光源部と、該指を透過し上部案内溝の底面側に向かう光を受光し撮影する撮像部と、該撮像部で撮影した画像から画像データを作成する画像処理部とを備え、上記撮像部には、上記案内溝の底面から下方に向かう光を横方向に折り曲げて該撮像部に入射させるミラーを設けたことを特徴とする生体認証装置が記載されている。
【０００４】
また、特許文献２にもミラーによって光りを屈折させるようにした個人認証装置が記載されている。
【０００５】
【特許文献１】特開２００６−９５０５６号公報
【特許文献２】特開２００６−９９４９３号公報
【発明の開示】
【発明が解決しようとする課題】
【０００６】
上述の従来例に見れば確かにミラーによって光を屈曲させているために装置を小型化することができる。従来の装置にあっては矩形状のミラーを採用しており、ミラーの傾斜配置による撮像装置への距離に相違によって外乱の原因となる光反射領域が形成されることとなって取得される画像が不鮮明になるおそれがある。
【０００７】
本発明は、かかる点に鑑みて傾斜配置したミラーを採用し、傾斜配置に伴う画像不鮮明となる原因を取り除くかあるいは小さいものとした個人認証装置の指静脈パターンの入力装置を提供することを目的とする。
【課題を解決するための手段】
【０００８】
本発明は、本件と、本件に設置された指置き台と、本体の内部に設置され、前記指置き台に置かれた指に光照射する照射手段と、光射の光路に配設されたミラーと、指置き台に形成された撮影開口部と、照射された指が発する光を前記撮影開口部を介して入力して撮像する撮像手段と、を有して構成される個人認証装置の指静脈パターン入力装置において、
前記ミラーは、前記撮影開口部に近い側を上側にし、遠い側を下側にし、下側を撮像手段に近くし、上側を撮像手段に遠くなるようにして傾斜配置され、かつ上側から下側にかけてミラー反射領域が漸減されていること
を特徴とする個人認証装置の指静脈パターン入力装置を提供する。
【０００９】
また、本発明は、ミラー反射領域は上側に広く、下側で狭い台形形状をなすことを特徴とする個人認証装置の指静脈パターンの入力装置を提供する。
【００１０】
また、本発明は、前記ミラー反射領域の漸減度はミラーの傾斜角度に依存して設定されることを特徴とする個人認証装置の指静脈パターンの入力装置を提供する。
【発明の効果】
【００１１】
本発明によれば、上述のようにしてミラーの有効なミラー反射領域を形成しているためにこのミラー反射領域が撮像手段に遠い部分が広く、近い部分が狭くして形成されるために、撮像に必要とされる領域に相応（マッチング）することとなって、光乱射の原因となる領域を減少させることになるために、鮮明な画像を得ることが出来る個人認証装置の指静脈パターンの入力装置を提供することができる。
【発明を実施するための最良の形態】
【００１２】
以下、本発明の実施例を図面に基づいて説明する。
【実施例】
【００１３】
図１〜図３は本発明の実施例である個人認証装置の指静脈パターンの入力装置の構成を示す図であり、図１は、３つに分解した場合の構成を示す斜視図、図２は撮像手段（撮像装置）の構成を示す図および図３は組立断面図である。
【００１４】
図１において、指静脈パターンの入力装置１００は、本体部１、指置き台２および撮像部３とから構成される。これらは組み立てられると図３に示す構造となる。これらの図において、本体１は、枠体１１の内部には空間部１２が設けてあって、ミラー１３がこの空間部１２に内蔵される形で、ミラー保持体１４によって傾斜保持される。枠体１１にはカバーを兼ねた指置台１を載置し、接続する部分１５が上方に向けて、そして撮像部３を取り付けるための接続する部分１６が側方（図では斜め手前側）に向けて形成してある。更にこの枠体１１内には図示していないが、照射手段としての近赤外発光ＬＥＤが取り付けてある。
【００１５】
指置き台２は、ほぼ直方体をなし、下方が開放され、上面２１が指置き部とされ、中央部に撮影開口部（窓部）２２が形成され、側方面上に照射窓２３が形成されている。上述の撮影開口部２２は、組立てられた時に上述の空間部１２に連通し、従ってミラーの方向はこの撮影開口部２２に指向する。
【００１６】
撮像部３は、図２に示すように、レンズ３１、ホルダー３２、撮像素子３３、その保持基板３４およびホルダー３２に設けた画像コントラストアップ窓３５から形成される。図１および図２に示す各部材が組み立てられると図３に示すようになる。図３は、上述のように組み立てた状態での断面図であり、本体１に指置き台２が被せられ、空間部１２に内蔵する形で撮像部３が配設される。この撮像部３には近赤外線透過フィルター４１が設けられる。このような構成によって、認証する指の位置を案内する案内手段（図示せず）を設けた指置き台２と、側面に設けたＬＥＤより指に向けて側面から光を照射する照射手段４２、指を透過し、案内手段の底面側に設けた空間部１２に向かう光を受光し撮像する撮像部３と、撮像部３で撮像した画像を撮像素子３３で受け、画像データを作成する基板３４に設けた画像処理部４４を備え、撮像部３には、撮影開口部２２から下方に向かう光を横方向に折り曲げて（屈曲させて）撮像部３に入射するミラー１３が傾斜して設けられる。
【００１７】
図１に示すように、ミラー１３には光吸収エリア５１が形成してある。この光吸収エリア５１の形成は次のようになされる。ミラー１３は、撮像開口部１２に近い側を上側にし、遠い側を下側にし、下側を撮像部３に近くし、上側を撮像部３から遠くなるようにして傾斜配置し、照射された指から発する光に対して、上側から下側にかけてミラー反射領域５２が漸減されたものとする。具体的な形状としては、図に示すように、上側に広く、下側に狭い台形形状とする。漸減していれば台形形状でなくてもよい。
【００１８】
ミラー反射領域として作用しない部分が光吸収エリア５１となる。本実施例の場合、光吸収エリア５１はミラー１３の上下方向側方両側に形成してあり、この光吸収エリア５１は光反射機能を有していない。
【００１９】
撮像部３に取得される画像情報はミラー１３上において、下側は撮像部３に接近しているが故に領域が小さく、上側は撮像部３に遠いが故に領域が大きくなる。この場合に、下側における領域が小さいのにかかわらず、従来のように四角形状のミラーを使用することは光吸収エリアがないために屈曲した光によって外乱され、不鮮明画像の原因となるが、本実施例のように下側に大きく光吸収エリア５１を設けることによって外乱の原因となる領域が小さく形成することができる。本実施例にあってはミラー１３の両側部を光吸収エリア５１としているが、台形状のミラーを使用しても同一の効果を得ることができるが、本実施例のように光吸収エリア５１を設けるのが望ましい。
【００２０】
そして、ミラー反射領域５２の漸減度はミラー１３の傾斜角度、すなわち本体１の小形化の程度に依存して設定することができる。
【図面の簡単な説明】
【００２１】
【図１】本発明の実施例の構成を示す構成部分の分解図。
【図２】撮像部を構成する構成部品の分解図。
【図３】本発明の実施例の組立体の縦断面図。
【符号の説明】
【００２２】
１…本体部、２…指置き台、３…撮像部（撮像手段）、１１…枠体、１２…空間部、１３…ミラー、１４…ミラー保持体、２０…撮影開口部（窓部）、５１…光吸収エリア、５２…ミラー反射領域、１００…指静脈パターンの入力装置。
【図１】
2008226197.tif 000003
【図２】
2008226197.tif 000004
【図３】
2008226197.tif 000005